(57)【要約】【課題】作動中および／または初期設定のときに、所定の信号に同期して供給できる電力の値をフレキシブルに変更できる電力供給ユニットを提供する。【解決手段】パルス幅の異なる複数タイプの同期信号Ｓｙｎｃにより定められるタイミングで光源へ供給する電力を変更可能な電力供給ユニット２０を提供する。電力供給ユニット２０は、同期信号Ｓｙｎｃを受信するインターフェイス２３と、受信した複数タイプの同期信号Ｓｙｎｃのパルス幅に関連して、電力供給ユニットの出力電力の設定値Ｉｔを変更する制御ユニット３０とを有する。同期信号のパルス幅は、複数タイプの同期信号Ｓｙｎｃの中の最長のパルス幅を持つ基準タイプの同期信号の周期により指示される基準時間間隔Ｔｂに関連して決められる。【選択図】図２
2008186699.tif 000002
【特許請求の範囲】
【請求項１】
同期信号により定められるタイミングで光源へ供給する電力を可変する電力供給ユニットであって、
パルス幅の異なる複数タイプの同期信号を受信するインターフェイスと、
受信した前記複数タイプの同期信号のパルス幅に関連して、当該電力供給ユニットの出力電力の設定を変更する制御ユニットとを有する、電力供給ユニット。
【請求項２】
請求項１において、前記制御ユニットは、
前記受信した複数タイプの同期信号の中の最長のパルス幅を持つ基準タイプの同期信号の周期により基準時間間隔を得る機能と、
前記受信した複数タイプの同期信号に含まれる、各同期信号のパルス幅と前記基準時間間隔との比により、前記各同期信号のタイプを判断する機能と、
前記各同期信号の間隔を得る機能と、
前記基準時間間隔、前記基準時間間隔に含まれる複数タイプの同期信号の組合せ、または前記各同期信号の間隔が変わると、前記受信した複数タイプの同期信号に含まれる、同期信号の各タイプに対応する供給電力を再設定する機能と、
前記各同期信号のリーディングエッジから第１の遅延時間の後に、当該電力供給ユニットの出力電力の設定を、前記各同期信号のタイプに対応する前記供給電力に変更する機能とを含む、電力供給ユニット。
【請求項３】
請求項２において、前記供給電力を再設定する機能は、
前記各同期信号のタイプに対応する供給電力比率および前記各同期信号の間隔の積の前記基準時間間隔の総和を求め、前記総和が一定になるように、前記同期信号の各タイプに対応する前記供給電力を演算する機能を含む、電力供給ユニット。
【請求項４】
請求項２において、前記制御ユニットは、
前記第１の遅延時間を前記基準時間間隔に比例して設定する機能を含む、電力供給ユニット。
【請求項５】
請求項１ないし４に記載の電力供給ユニットと、
前記電力供給ユニットから電力供給を受ける光源とを有する照明ユニット。
【請求項６】
請求項５に記載の照明ユニットと、
前記照明ユニットから出力される光を複数色の光に時分割するカラーフィルタと、
前記カラーフィルタを通過した光を変調する画像生成ユニットと、
前記画像生成ユニットにより変調された光を画像形成メディアに投写するための光学システムとを有する画像出力システム。
【請求項７】
同期信号により定められるタイミングで光源へ供給する電力を可変する電力供給ユニットの制御方法であって、
インターフェイスを介してパルス幅の異なる複数タイプの同期信号を受信することと、
受信した前記複数タイプの同期信号のパルス幅に関連して、制御ユニットが前記電力供給ユニットの出力電力の設定を変更することとを有する、制御方法。
【請求項８】
請求項７において、前記出力電力の設定を変更することは、
前記受信した複数タイプの同期信号の中の最長のパルス幅を持つ基準タイプの同期信号の周期により基準時間間隔を得ることと、
前記受信した複数タイプの同期信号に含まれる、各同期信号のパルス幅と前記基準時間間隔との比により、前記各同期信号のタイプを判断することと、
前記各同期信号の間隔を得ることと、
前記基準時間間隔、前記基準時間間隔に含まれる複数タイプの同期信号の組合せ、または各同期信号の間隔が変わると、前記受信した複数タイプの同期信号に含まれる、同期信号の各タイプに対応する供給電力を再設定することと、
前記各同期信号のリーディングエッジから第１の遅延時間の後に、当該電力供給ユニットの出力電力の設定を、前記各同期信号のタイプに対応する前記供給電力に変更することとを含む、制御方法。
【請求項９】
請求項８において、前記供給電力を再設定することは、
前記各同期信号のタイプに対応する供給電力比率および各同期信号の間隔の積の前記基準時間間隔の総和を求め、前記総和が一定になるように、前記同期信号の各タイプに対応する前記供給電力を演算することを含む、制御方法。
【請求項１０】
同期信号により定められるタイミングで光源へ供給する電力を可変する電力供給ユニットの制御ユニットのプログラムであって、
インターフェイスを介してパルス幅の異なる複数タイプの同期信号を受信すると、受信した前記複数タイプの同期信号のパルス幅に関連して、制御ユニットにより前記電力供給ユニットの出力電力の設定を変更することを有し、
前記出力電力の設定を変更することは、
前記受信した複数タイプの同期信号の中の最長のパルス幅を持つ基準タイプの同期信号の周期により基準時間間隔を得ることと、
前記受信した複数タイプの同期信号に含まれる、各同期信号のパルス幅と前記基準時間間隔との比により、前記各同期信号のタイプを判断することと、
前記各同期信号の間隔を得ることと、
前記基準時間間隔、前記基準時間間隔に含まれる複数タイプの同期信号の組合せ、または各同期信号の間隔が変わると、前記受信した複数タイプの同期信号に含まれる、同期信号の各タイプに対応する前記供給電力を再設定することと、
前記各同期信号のリーディングエッジから第１の遅延時間の後に、当該電力供給ユニットの出力電力の設定を、前記各同期信号のタイプに対応する前記供給電力に変更することとを含む、プログラム。
【発明の詳細な説明】
【技術分野】
【０００１】
本発明は、高圧放電ランプ（ＨＩＤランプ）などの放電ランプを含む光源を点灯するのに適した電力供給ユニットおよびその制御方法に関するものである。
【背景技術】
【０００２】
光源である放電ランプを点灯するための電力供給装置として、バックコンバータ（降圧コンバータ）などを用いた電力供給ユニット（安定器、バラスト）が知られている。放電ランプは種々の用途に用いられる。用途の１つは、画像出力システムの光源（照明ユニット）であり、画像出力システムには、スクリーンなどの画像形成メディアにカラー画像を表示するプロジェクタ（フロントプロジェクタ、リアプロジェクタ）が含まれる。カラー画像を表示する１つの方法は、マルチカラー、例えば３原色（Ｒ、Ｇ、Ｂ）の画素（画像）を時分割で表示することである。白色あるいは白色に近い光（光束）を放出する光源からの光を各色に時分割する１つの手段は、カラーホイールとも称される回転式のカラーフィルタを用いることである。カラーフィルタにより時分割された各色の光を、カラーフィルタの動きと同期して変調することにより各色の画像を形成することができる。光を変調して画像を生成するデバイス（光変調デバイス、ライトバルブ、画像生成デバイス）の例は、画素単位で光を変調できる複数の光学素子を含む画像生成デバイスである。そのような画像生成デバイスは、透過型あるいは反射型の液晶デバイス、ＤＭＤ（デジタルミラーデバイス）を含む。
【０００３】
特許文献１には、赤・緑・青又は青、緑、赤を含む複数のカラーセグメントに分割され、光源から照射された光束を時分割する回転式のカラーフィルタ等を含み、直流電流で点灯する投射型システムにおいて、カラーフィルタの回転及び光学素子と同期して所定時刻毎に複数のオンオフパターンの同期信号を発生させることが記載されている。さらに、特許文献１には、そのオンオフパターンに応じて第１のネガティブパルスなど電流強度を持つ電流を、赤セグメントまたは青セグメントの立下りの時刻を基準として一定時間（Ｔ０）経過した後に、直流電流に重畳して印加するように構成し、全階調領域において優れた階調表現を実現させることが記載されている。
【０００４】
特許文献２には、電子内視鏡装置の照明装置であって、光源からの照明光を、複数のフィルタ域を有する回転カラーホイールを介して照射するようにした照明装置が記載されている。この文献には、さらに、この照明装置に、回転カラーホイールに設けた各フィルタ域を検出するための位置検出手段と、位置検出手段からの信号に基づいて、各フィルタ域に応じて光源の発光光量を調整する光源光量調整手段とを設けることが記載されている。
【０００５】
特許文献３には、プロジェクタ装置で利用すべく交流ランプが生成する光からフィルタを用いてＲＧＢ等の複数色の光を繰り返し生成する際に、交流ランプへ供給する交流電流であるランプ電流の極性が反転するタイミングを光の色が切り換わるタイミングに同期させることが記載されている。この文献には、さらに、特定の色の光が発生する期間に同期した半サイクルでのランプ電流の電流値を変化させることにより、特定の色の光の光量を増減させることが記載されている。この文献には、さらに、任意の色の光の光量を調整することが可能となり、プロジェクタ装置が投影する投影画像のホワイトバランスを任意に調整することが可能となることが記載されている。この文献においては、同期信号に加えて、電力制御信号が用いられている。
【特許文献１】特開２００６−３４９９１２号公報
【特許文献２】特開平２−１１９００５号公報
【特許文献３】特開２００６−２２７４４０号公報
【発明の開示】
【発明が解決しようとする課題】
【０００６】
照明装置の出力（光量）を、カラーフィルタ（カラーホイール）の動き、画像信号などに同期して、フレキシブルに制御できることが要望されている。照明装置の出力を制御する方法の１つは、照明装置の光源、例えば放電ランプに供給される電力を制御することである。放電ランプに対して電力供給ユニットから供給される電圧は、放電が安定した段階ではほぼ一定なので、電力供給ユニットから放電ランプに供給される電流を制御することにより供給電力を制御する。したがって、電力供給ユニットにおいて、同期信号に同期して、供給電流の値を簡単に変えられることが要望されている。
【０００７】
種々の照明装置の仕様に対して、所定の信号に同期して供給できる電力の値をフレキシブルに変更できる電力供給ユニットは、汎用性がある。このため、電力供給ユニットの開発および設計に要する時間を短縮できるので、経済的である。例えば、カラーフィルタとして、赤色（Ｒ）、緑色（Ｇ）、青色（Ｂ）の各色のセグメントに加えて、コントラストを向上するために白色（開口、Ｗ）あるいは他色のセグメントを備えたものが用いられることがある。また、カラーフィルタのセグメントの面積は照明装置の用途により様々であり、各セグメントに対応した光量の要求も照明装置により変わることが多い。さらに、ＲＧＢなどの各色のセグメントの並びを１単位のシーケンスとしたときに、光量を制御する周期を１シーケンスに一致させる必要は必ずしもなく、複数のシーケンスを１周期として光量を制御しても良い。また、カラーフィルタの各色のセグメントに同期して光量を変えても良く、セグメントの中間で光量を変えても良い。
【０００８】
照明装置の作動中および／または初期設定のときに、所定の信号に同期して供給できる電力の値をフレキシブル（ダイナミック）に変更（再構成）できる電力供給ユニットは、照明装置の用途をさらに広げることができる。例えば、ユーザが表示した画像の種類により白色バランスを変えたり、色調を変える機能を照明装置に付与することができる。これにより、画像生成デバイスの側の負荷を低減し、いっそう画質の高い画像を表示できる。
【課題を解決するための手段】
【０００９】
本発明の一態様は、同期信号により定められるタイミングで光源へ供給する電力を可変する電力供給ユニットである。この電力供給ユニットは、パルス幅の異なる複数タイプの同期信号を受信するインターフェイスと、受信した複数タイプの同期信号のパルス幅に関連して、当該電力供給ユニットの出力電力の設定を変更する制御ユニットとを有する。制御ユニットは、同期信号のパルス幅により、その同期信号により出力される供給電力を設定できる。このため、電力供給ユニットに対し、パルス幅の異なる同期信号を供給するだけで、同期信号に同期して光源に供給する電力、例えば供給電流の値をフレキシブルに制御できる。このため、種々の用途の照明装置に対して汎用性があり、また、光源から出力される光量をダイナミックに変更可能な電力供給ユニットを提供できる。光源は、放電ランプ、白色ＬＥＤなどが含まれる。
【００１０】
受信した複数タイプの同期信号のパルス幅に関連して電力供給ユニットを制御することは、パルス幅が出力電力の設定値を直接的にまたは間接的に指示することを含む。同期信号のパルス幅を指標として、ルックアップテーブルなどの適当な変換テーブルを介して間接的に出力電力の設定値を決めることが好ましい。同期信号のパルス幅に、出力信号の設定値（供給電力）を含めた複数の意味（指示内容）を持たせることができる。その１つは、基準周期を設定する機能である。
【００１１】
制御ユニットは、受信した複数タイプの同期信号の中の最長のパルス幅を持つ基準タイプの同期信号の周期により基準時間間隔を得る機能と、受信した複数タイプの同期信号に含まれる各同期信号のパルス幅と基準時間間隔との比により、各同期信号のタイプを判断する機能と、各同期信号の間隔を得る機能と、基準時間間隔、基準時間間隔に含まれる複数タイプの同期信号の組合せ、または各同期信号の間隔が変わると、受信した複数タイプの同期信号に含まれる同期信号の各タイプに対応する供給電力を再設定する機能と、各同期信号のリーディングエッジから第１の遅延時間の後に、当該電力供給ユニットの出力電力の設定を、各同期信号のタイプに対応する供給電力に変更する機能とを含むことが望ましい。
【００１２】
同期信号のパルス幅を設定し、判断する方法はいくつかある。精度の高いクロック信号が、同期信号の発生側および電力供給ユニットに対して共通に供給されていれば、クロック信号に同期してパルス幅を判断できる。受信した複数タイプの同期信号の中の最長のパルス幅を持つ基準タイプの同期信号の周期により基準時間間隔を得ることにより、基準時間間隔を、同期信号の発生側および電力供給ユニットの共通の基準時間としてパルス幅を判断できる。電力供給ユニットにより制御すべき光量のバリエーションはそれほど多くないと予想される。したがって、受信した複数タイプの同期信号に含まれる、各同期信号のパルス幅と基準時間間隔との比を、例えば８ビット（２５６）程度の分解能で分離できれば、電力供給ユニットと、同期信号の発生側とのコミュニケーションは十分に図れる。
【００１３】
基準時間間隔、基準時間間隔に含まれる複数タイプの同期信号の組合せ、または各同期信号の間隔が変わると、基準時間間隔内に出力される光量が変わる。したがって、受信した複数タイプの同期信号に含まれる、同期信号の各タイプに対応する供給電力を再設定することが好ましい。供給電力を再設定することは、供給電力の設定を動的に変更することに加えて、供給電力を初期設定することも含む。
【００１４】
供給電力を再設定する機能は、各同期信号のタイプに対応する供給電力比率および各同期信号の間隔の積の基準時間間隔の総和を求め、その総和が一定になるように、同期信号の各タイプに対応する供給電力を演算する機能を含むことが望ましい。この機能を用いることにより、基準時間間隔に光源に供給される電力が一定になる、すなわち、平均供給電力が一定になるように、各同期信号により供給される電力を自動的に設定できる。したがって、ユーザは、各同期信号により供給される電力、あるいは光源から得たい光量を、ルックアップテーブルなどを用いて相対的に定義するだけで良い。
【００１５】
各同期信号のパルス幅は一定ではない。したがって、各同期信号のリーディングエッジから第１の遅延時間の後に、当該電力供給ユニットの出力電力の設定を、各同期信号のタイプに対応する供給電力に変更することが望ましい。制御ユニットが、第１の遅延時間を基準時間間隔に比例して設定する機能を含んでいても良い。
【００１６】
本発明の他の態様は、上記の電力供給ユニットと、電力供給ユニットから電力供給を受ける光源とを有する照明ユニットである。
【００１７】
本発明のさらに他の態様は、上記の照明ユニットと、この照明ユニットから出力される光を複数色の光に時分割するカラーフィルタと、カラーフィルタを通過した光を変調する画像生成ユニットと、画像生成ユニットにより変調された光を画像形成メディアに投写するための光学システムとを有する画像出力システムである。
【００１８】
本発明のさらに他の態様は、同期信号により定められるタイミングで光源へ供給する電力を変更可能な電力供給ユニットの制御方法である。この制御方法は、以下を含む。
・インターフェイスを介してパルス幅の異なる複数タイプの同期信号を受信すること。
・受信した複数タイプの同期信号のパルス幅に関連して、制御ユニットが電力供給ユニットの出力電力の設定を変更すること。
【００１９】
出力電力の設定を変更する工程は、さらに以下を含むことが望ましい。
・受信した複数タイプの同期信号の中の最長のパルス幅を持つ基準タイプの同期信号の周期により基準時間間隔を得ること。
・受信した複数タイプの同期信号に含まれる、各同期信号のパルス幅と基準時間間隔との比により、各同期信号のタイプを判断すること。
・各同期信号の間隔を得ること。
・基準時間間隔、基準時間間隔に含まれる複数タイプの同期信号の組合せ、または各同期信号の間隔が変わると、受信した複数タイプの同期信号に含まれる、同期信号の各タイプに対応する供給電力を再設定すること。
・各同期信号のリーディングエッジから第１の遅延時間の後に、当該電力供給ユニットの出力電力の設定を、各同期信号のタイプに対応する供給電力に変更すること。
【００２０】
さらに、供給電力を再設定する工程は、以下を含むことが望ましい。
・各同期信号のタイプに対応する供給電力比率および各同期信号の間隔の積の基準時間間隔の総和を求め、総和が一定になるように、同期信号の各タイプに対応する供給電力を演算すること。
【００２１】
本発明のさらに異なる態様は、同期信号により定められるタイミングで光源へ供給する電力を変更可能な電力供給ユニットの制御ユニットのプログラムである。制御ユニットはマイクロプロセッサを含み、プログラムはマイクロプロセッサを制御するためのファームウェアを含む。このプログラム（プログラム製品）は、インターフェイスを介してパルス幅の異なる複数タイプの同期信号を受信すると、受信した複数タイプの同期信号のパルス幅に関連して、制御ユニットにより電力供給ユニットの出力電力の設定を変更することを有する。出力電力の設定を変更する工程は、さらに以下を含む。
・受信した複数タイプの同期信号の中の最長のパルス幅を持つ基準タイプの同期信号の周期により基準時間間隔を得ること。
・受信した複数タイプの同期信号に含まれる、各同期信号のパルス幅と基準時間間隔との比により、各同期信号のタイプを判断すること。
・各同期信号の間隔を得ること。
・基準時間間隔、基準時間間隔に含まれる複数タイプの同期信号の組合せ、または各同期信号の間隔が変わると、受信した複数タイプの同期信号に含まれる、同期信号の各タイプに対応する供給電力を再設定すること。
・各同期信号のリーディングエッジから第１の遅延時間の後に、当該電力供給ユニットの出力電力の設定を、各同期信号のタイプに対応する供給電力に変更すること。
【００２２】
このプログラム（プログラム製品）は、適当なタイプの記録媒体、例えば、ＲＯＭに記録して提供できる。
【発明を実施するための最良の形態】
【００２３】
図１に、本発明の実施形態の画像出力システムの一例としてリアプロジェクタの概略構成を示している。このリアプロジェクタ１は、光を出力する照明ユニット２と、この照明ユニット２から出力される光を複数色の光に時分割するカラーフィルタ３と、このカラーフィルタ３を通過した光を変調する画像生成ユニット４と、画像生成ユニット４により変調された光を画像形成メディアに投写するための光学システム５とを有する。リアプロジェクタ１は、さらに、画像形成メディアであるスクリーン６を含む。光学システム５は、画像生成ユニット４により変調された投影光をスクリーン６へ拡大投影するためのレンズシステム７と、スクリーン６へ向けて投影光を反射するためのミラー８とを含む。画像生成ユニット４の一例はＤＭＤ（デジタルミラーデバイス）である。
【００２４】
リアプロジェクタ１は、さらに、回転型のカラーフィルタ３を駆動するモータなどアクチュエータを制御するための駆動制御ユニット８３と、画像生成ユニット４により画像を生成するための画像データを含む制御情報８５を受信し、リアプロジェクタ１の全体を制御するプロジェクタ制御ユニット８１と、照明ユニット２に電力を供給するための電源ユニット８２とを備えている。電源ユニット８２は、例えば家庭用の交流電力から３００−４００Ｖ程度の直流電力Ｐｗを生成して照明ユニット２に供給する。プロジェクタ制御ユニット８１は、カラーフィルタ３の動きに同期した同期信号Ｓｙｎｃを照明ユニット２に供給する。
【００２５】
照明ユニット２は、光源である放電ランプ１１と、リフレクタ１２と、放電ランプ１１に点灯用の電力を供給する電力供給ユニット２０とを有する。以下では、直流電流で点灯する放電ランプ１１を備えた照明ユニット２に基づき説明する。このため、本例の電力供給ユニット２０は光源に対して直流電流を出力するが、電力供給ユニットは、交流電流を光源に供給するものであっても良い。
【００２６】
図２に、電力供給ユニット２０の概略構成を示している。この電力供給ユニット２０は、入力側（入力インターフェイス、入力端子、入力コネクタ）２１に電源ユニット８２から供給された直流電力Ｐｗにより、出力側（出力インターフェイス、出力端子、出力コネクタ）２２に接続されたＨＩＤランプ（放電ランプ）１１に対し適切な電力を供給し、放電ランプ１１から放出される光の量（光量）を制御する機能を備えている。電力供給ユニット２０は、ＰＷＭパルスにより駆動されるスイッチング素子２９を含み、放電ランプ１１に供給される電力の制御を行うためのバックコンバータ（ＤＣ／ＤＣコンバータ）２８と、このバックコンバータ２８にＰＷＭパルスを供給することにより電力供給ユニット２０から放電ランプ１１に供給される電力を制御するＰＷＭパルスコントローラ２７と、このＰＷＭパルスコントローラ２７に対し、ＰＷＭパルスにより制御する電力の設定値を供給する制御ユニット３０と、放電ランプ１１に絶縁破壊を生じさせるために高圧電圧を供給する高圧発生回路２６とを備えている。
【００２７】
電力供給ユニット２０は、放電ランプ１１を始めに点灯する際は、高圧発生回路２６により数ｋＶの電圧を放電ランプ１１に印加し絶縁破壊を生じさせる。その後、グロー放電の状態を介して安定したアーク放電の状態に移行させる。この種の放電ランプ１１は典型的には高圧水銀ランプであり、例えばアルゴンなどの始動用希ガス、水銀およびハロゲン化物が含まれる。アーク放電に移行直後はガス放電が主であり電圧はおおよそ１５Ｖ〜２０Ｖと低い。やがて水銀の蒸発とともに水銀蒸気圧が上昇、放電ランプ内の温度も上昇し、電圧も上昇する。この立ち上がり期間を経て安定な点灯状態に達する。電力供給ユニット２０は放電ランプ１１の立ち上がりにともない、定電流制御を経て、電力一定制御に移行する。バックコンバータ２８は、入力電圧よりも低い電圧Ｖｏを出力する降圧型のコンバータである。典型的なバックコンバータ２８は、チョッピング用のスイッチング素子２９と、チョークコイル２８ａと、フライホイールダイオード２８ｂと、平滑コンデンサ２８ｃとを備えている。
【００２８】
ＰＷＭパルスコントローラ２７は、フィードバック信号ＦＢに基づきパルス幅を変えたＰＷＭパルスを出力する。制御ユニット３０は、バックコンバータ２８の出力側に設けられた電圧検出回路２５を介して出力電圧Ｖｏを検出する。そして、制御ユニット３０は、予め設定された電力に見合うターゲットの電流値Ｉｔを出力する。したがって、制御ユニット３０は、電力供給ユニット２０の出力を制御するためにターゲット電流値Ｉｔを出力する。ＰＷＭパルスコントローラ２７は、フィードバック信号ＦＢを生成するコンパレータ２７ａと、周波数ｆのＰＷＭパルスを出力するパルスジェネレータ２７ｂとを備えている。コンパレータ２７ａは、制御ユニット３０から供給されるターゲット電流値Ｉｔと、バックコンバータ２８を流れる電流値Ｉｏとを比較してフィードバック信号ＦＢを生成する。パルスジェネレータ２７ｂは、ＰＷＭパルスのパルス幅を変えることによりデューティーを適切に制御し、バックコンバータ２８から出力される電流の値Ｉｏを制御する。
【００２９】
したがって、電力供給ユニット２０の出力電力Ｐｏは、制御ユニット３０がターゲット電流値Ｉｔを変えることにより、制御できる。通常、電力供給ユニット２０からは、放電ランプ１１が定常状態で点灯するのに適した一定の電力がバックコンバータ２８を介して供給される。本例の電力供給ユニット２０においては、同期信号Ｓｙｎｃに同期して短期的に放電ランプ１１に供給される電力（供給電力）を変えるとともに、適当な時間間隔（周期）では放電ランプ１１に供給される電力（平均電力）は一定となるように出力電力を制御する。すなわち、電力供給ユニット２０において、出力電圧Ｖｏが一定の状態では、制御ユニット３０が、同期信号Ｓｙｎｃに同期して、電力供給ユニット２０から短期的に放電ランプ１１に供給される電流（供給電流）Ｉｏが変わるようにターゲット電流値Ｉｔを変える。なお、電力供給ユニット２０において、定常状態では、出力電力Ｐｏに相当する供給電流（ランプ電流）Ｉｏは、バックコンバータ２８により制御される出力電流Ｉｏと同じであるとして説明する。本例においては、ターゲット電流値Ｉｔは同期信号Ｓｙｎｃに同期してパルス的に高さが変化する信号として提供される。このため、以降においては、ターゲット電流値を電流制御パルス高さＩｔと呼ぶ。制御ユニット３０は、さらに、適当な時間間隔（周期）では放電ランプ１１に供給される電流（平均電流）が一定となるように、電流制御パルス高さＩｔを制御する。
【００３０】
電力供給ユニット２０は、同期信号Ｓｙｎｃを受信するための入力コネクタ（入力インターフェイス、入力端子）２３を備えている。制御ユニット３０は、電力制御を行う機能を備えた制御ＩＣ（プロセッサ）３１と、この制御ＩＣ３１のプログラム（ファームウェア）３３を格納したＲＯＭ３２とを備えている。制御ＩＣ３１はプログラム３３をロードすることにより、以下に示す機能を含む幾つかの機能を実現する。さらに、ＲＯＭ３２には、制御用のパラメータを含むＬＵＴ（ルックアップテーブル）３４が格納されている。制御ＩＣ３１には、複数タイプの同期信号Ｓｙｎｃが入力され、同期信号Ｓｙｎｃのタイプにより電流制御パルス高さＩｔは可変的に制御される。なお、可変的に制御することは、同レベルに制御することも含む。このため、制御ＩＣ３１には、同期信号Ｓｙｎｃのタイプにより電流制御パルス高さＩｔを決定するための抵抗群３５が接続されている。
【００３１】
図３に、制御ＩＣ３１により実現される幾つかの機能を示している。制御ＩＣ３１は、制御ＩＣ自身により、さらには、ＲＯＭ３２、ＲＡＭ（不図示）などの制御ユニット３０に含まれる他のハードウェアおよびソフトウェア資源と協動することにより実現される機能として、初期制御機能５１と、出力モニタ機能５２と、同期信号判別機能５３と、再設定機能５４と、出力設定変更機能５５とを備えている。初期制御機能５１は、放電ランプ１１を点灯するためのパラメータを読み込み、高電圧を発生して放電ランプ１１を点灯し、放電状態が安定するまでの制御を行う。出力モニタ機能５２は、電力供給ユニット２０から放電ランプ１１に供給される電力、すなわち、出力電圧Ｖｏおよび出力電流Ｉｏをモニタし、適当な時間間隔の単位で定電力制御が行なわれるように電流制御パルス高さＩｔを制御する。同期信号判別機能５３は、プロジェクタ制御ユニット８１から供給される同期信号Ｓｙｎｃのタイプ、周期などを判断し、同期信号Ｓｙｎｃを介してプロジェクタ制御ユニット８１から伝達される情報を解析する。
【００３２】
本例の電力供給ユニット２０においては、４タイプＳ１〜Ｓ４の同期信号Ｓｙｎｃを受信することができ、それぞれの同期信号のタイプＳ１〜Ｓ４は異なるパルス幅Ｔｓ１〜Ｔｓ４を備えている。以降では、各タイプの同期信号を示すときは同期信号Ｓ１〜Ｓ４と表示し、同期信号を一般的に示すときは同期信号Ｓｙｎｃと表示することがある。同期信号Ｓ４は、最長のパルス幅Ｔｓ４を備えており、基準の同期信号となる。同期信号のタイプは３つ以下でも良く、５つ以上であってもよい。これらの複数の同期信号Ｓ１〜Ｓ４を判別するため、同期信号判別機能５３は、受信した複数タイプの同期信号Ｓ１〜Ｓ４の中の最長のパルス幅を持つ基準タイプの同期信号Ｓ４の周期により基準時間間隔（基準周期）Ｔｂを得るための基準時間間隔測定機能５７と、受信した複数タイプの同期信号Ｓｙｎｃに含まれる各同期信号Ｓ１〜Ｓ４のパルス幅Ｔｓ１〜Ｔｓ４と基準時間間隔Ｔｂとの比により、各同期信号のタイプＳ１〜Ｓ４を判断するタイプ判定機能５８と、各同期信号Ｓｙｎｃの間隔Ｃｊｋ（ｊ、ｋは整数）を得る信号間隔測定機能５９とを含む。同期信号Ｓｙｎｃの間隔Ｃｊｋは、あるタイプｊの同期信号Ｓｙｎｃから次の同期信号Ｓｙｎｃまでの時間間隔であり、基準時間間隔Ｔｂにタイプｊの同期信号Ｓｙｎｃがｎ個含まれていれば、間隔Ｃｊｋは、間隔Ｃｊ１〜Ｃｊｎを含む。
【００３３】
再設定機能５４は、基準時間間隔Ｔｂ、基準時間間隔Ｔｂに含まれる複数タイプの同期信号Ｓ１〜Ｓ４の組合せ、または各同期信号の間隔Ｃｊｋが変わると、受信した複数タイプの同期信号に含まれる同期信号の各タイプＳ１〜Ｓ４に対応する供給電力を再設定する。電力供給ユニット２０は、基準タイプの同期信号Ｓ４は受信する必要がある。しかしながら、他のタイプの同期信号Ｓ１〜Ｓ３については、全てのタイプが基準時間間隔Ｔｂに含まれている必要はなく、また、同じタイプの同期信号が基準時間間隔Ｔｂの中に複数含まれていても良い。
【００３４】
同期信号の各タイプＳ１〜Ｓ４に対応する供給電力は、本例では供給電流、すなわち、電流制御パルス高さＩｔとして制御ユニット３０から出力される。以降では、同期信号の各タイプＳ１〜Ｓ４に対応して電流制御パルス高さＩｔとして出力される制御パルスの高さをパルス高さＬ１〜Ｌ４と呼ぶ。これらのパルス高さＬ１〜Ｌ４は、同期信号Ｓ１〜Ｓ４に対応する比率、例えば％の情報として与えられ、同期信号Ｓ１〜Ｓ４に対応して放電ランプ１１に供給する電力（供給電流）を示す値である。再設定機能５４は、基準時間間隔Ｔｂの電力総和が一定になるように、実際に各同期信号Ｓ１〜Ｓ４に対応するパルス高さ（供給電流）Ｌ１〜Ｌ４を再設定する。
【００３５】
具体的には、再設定機能５４は、再設定する条件が整うと、以下の式（１）により基準時間間隔Ｔｂの平均電流Ｉａｄｄを計算する。
Ｉａｄｄ＝Σ（Ｌｊ×Ｃｊｋ）／Ｔｂ  ・・・（１）
ただし、本例では、タイプを示すｊは１〜４、ｋは１〜ｎ（ｎは整数）である。
さらに、再設定機能５４は、再設定前の平均電流をＩｔｙｐとすると、以下の式（２）によりパルス高さＬ１〜Ｌ４を再設定する。
Ｌｊ＝Ｌｊ×（Ｉｔｙｐ／Ｉａｄｄ）  ・・・（２）
ただし、本例では、タイプを示すｊは１〜４である。
このようにＬ１〜Ｌ４を変換することにより、基準時間間隔Ｔｂにおける電流の総和は一定になり、放電ランプ１１に対して、少なくとも基準時間間隔Ｔｂ以上の間隔を単位として、定電力制御を行なうことができる。
【００３６】
このように、再設定機能５４は、各同期信号のタイプＳ１〜Ｓ４に対応する供給電力比率Ｌ１〜Ｌ４および各同期信号の間隔Ｃｊｋの積の基準時間間隔Ｔｂの総和（上記の例では基準時間間隔Ｔｂの平均）Ｉａｄｄを求め、総和（基準時間間隔Ｔｂの平均）が一定になるように、同期信号の各タイプＳ１〜Ｓ４に対応する供給電流（パルス高さ）Ｌ１〜Ｌ４を演算する機能を含む。
【００３７】
出力設定変更機能５５は、各同期信号Ｓｙｎｃのリーディングエッジから第１の遅延時間Ｔ０の後に、電力供給ユニット２０の出力電力の設定値（電流制御パルス高さ）Ｉｔを、各同期信号のタイプＳ１〜Ｓ４に対応する供給電流を示すパルス高さＬ１〜Ｌ４に変更する。出力設定変更機能５５は、基準時間間隔Ｔｂに比例して第１の遅延時間Ｔ０を設定する機能を含む。
【００３８】
図４に、電力供給ユニット２０により放電ランプ１１に供給される電力を制御する動作をフローチャートにより示している。ステップ６１において、電力供給ユニット２０の入力側に直流電力Ｐｗが供給されると、その電圧により制御ＩＣ３１がリセットされ、放電ランプ１１を点灯する処理を開始する。まず、初期制御機能５１により、ステップ６２において、パラメータを読み込むなどの初期設定が行なわれる。この制御ＩＣ３１では、同期信号の各タイプＳ１〜Ｓ４に対応するパルス高さＬ１〜Ｌ４を示すパラメータを、ＩＣ３１に接続された抵抗群３５に設定された抵抗値から読み込む。図２に示すように、パルス高さＬ１〜Ｌ４は、高電位（５Ｖ）側に接続されたＲ１（具体的には抵抗Ｒ１−１〜Ｒ１−４）と、接地側に接続された抵抗Ｒ２（具体的には抵抗Ｒ２−１〜Ｒ２−４）の組合せにより指示される。図５（ａ）に、抵抗群３５の組合せの例を示している。
【００３９】
さらに、図５（ｂ）に示すように、ＲＯＭ３２のＬＵＴ３４に、高電位側の抵抗Ｒ１と接地側の抵抗Ｒ２との組合せにより指示されるパルス高さが比率（％）により収納されている。このため、制御ＩＣ３１は、各パルス高さＬ１〜Ｌ４を示す抵抗Ｒ１およびＲ２の組合せを検出し、それらにより決まる各パルス高さＬ１〜Ｌ４の比率を読み取る。したがって、電力供給ユニット２０を用いるユーザは、抵抗群３５の抵抗の組合せにより、パルス高さＬ１〜Ｌ４の比率を、ＬＵＴ３４に設定された範囲で自由に選択できる。
【００４０】
各パルス高さＬ１〜Ｌ４を、同期信号Ｓ１〜Ｓ４のパルス幅Ｔｓ１〜Ｔｓ４により直に設定されるようにしても良い。しかしながら、そのような設定方法であると、基準時間間隔Ｔｂをセットするための最もパルス幅が長い同期信号Ｓ４に対応したパルス高さＬ４が最も大きくなり、パルス高さの選択範囲が狭まる。抵抗群３５およびＬＵＴ３４を用いて、同期信号Ｓ１〜Ｓ４のパルス幅Ｔｓ１〜Ｔｓ４により間接的にパルス高さＬ１〜Ｌ４を設定することにより、パルス高さＬ１〜Ｌ４の選択の範囲が広がる。このため、同期信号Ｓｙｎｃのパルス幅Ｔｓ１〜Ｔｓ４に基準時間設定などの異なる意味あるいは機能を持たせることが可能となる。また、パルス高さＬ１〜Ｌ４は全て異なっていても良く、同じ値を含んでいても良い。例えば、同期信号Ｓ４は基準時間間隔Ｔｂを指示するので、パルス高さＬ４と同じ出力を基準時間間隔Ｔｂの中に設定するためには、パルス高さＬ１〜Ｌ３のいずれかをパルス高さＬ４と同じ値にセットしておく必要がある。
【００４１】
パルス高さＬ１〜Ｌ４を間接的に決定する方法は、抵抗群３５およびＬＵＴ３４の組合せに限定されない。ＲＯＭ３２に格納されているＬＵＴ３４を書き換えることにより、抵抗群３５による指示を経ずに、パルス高さＬ１〜Ｌ４を決定するようにしても良い。また、抵抗群３５の代わりに、ＤＩＰスイッチなどの他の選択手段を採用することも可能である。
【００４２】
ステップ６３において、初期制御機能５１は、高電圧を放電ランプ１１に供給して、放電ランプ１１を点灯状態にする。放電ランプ１１が点灯すると、ステップ６４において、出力モニタ機能５２は、放電ランプ１１に対する出力電圧（供給電圧）Ｖｏおよび出力電流（供給電流）Ｉｏをモニタし、定電力制御が行なわれる。ステップ６５において、同期信号判別機能５３は、同期信号Ｓｙｎｃが入力されたか否かを判断する。同期信号Ｓｙｎｃを受信しなければ、出力モニタ機能５２を用いて、制御ＩＣ３１は、電力供給ユニット２０から放電ランプ１１に供給される電力が一定になるように電流制御パルス高さＩｔを制御する。
【００４３】
同期信号Ｓｙｎｃを受信すると、同期信号判別機能５３は、ステップ６６において、同期信号Ｓｙｎｃのタイプを判別し、また、前の同期信号Ｓｙｎｃからの時間間隔Ｃｊｋを取得する。これらが前の基本時間間隔（基本周期）Ｔｂに含まれる同期信号Ｓｙｎｃおよび間隔Ｃｊｋと変わらなければ、ステップ６７において、パルス高さＬ１〜Ｌ４の再設定は不要と判断する。したがって、ステップ６８において、出力設定変更機能５５は、同期信号Ｓｙｎｃのリーディングエッジ（立ち上がりまたは立下り）から時間Ｔ０後に、入力した同期信号ＳｙｎｃのタイプＳ１〜Ｓ４に対応するパルス高さＬ１〜Ｌ４のいずれかに、電流制御パルス高さＩｔを変更する。
【００４４】
図６（ａ）に、同期信号Ｓｙｎｃと、パルス幅Ｔｓｊ（ｊは整数）と、間隔Ｃｊｋと、遅延時間Ｔ０と、カラーフィルタ３のセグメント３ｒおよび３ｇの切り換わるタイミングとの関係を示している。カラーフィルタ３の赤のセグメントに照明ユニット２が光を照射している間の、ある時刻ｔ１に同期信号Ｓｙｎｃ、例えば同期信号Ｓ３を受信する。同期信号判別機能５３は、同期信号Ｓ３の立ち上がり（リーディングエッジ）の時刻ｔ１と、立下りの時刻ｔ２とにより、パルス幅Ｔｓ３を取得する。出力設定変更機能５５は、時刻ｔ１から時間Ｔ０後の時刻ｔ３に、電流制御パルス高さＩｔを、同期信号Ｓ３に対応するパルス高さＬ３に変更する。時刻ｔ３は、カラーフィルタ３において、赤色のセグメント３ｒから緑色のセグメント３ｇに切り換わるタイミングである。したがって、図１に示したプロジェクタ１においては、画像生成デバイス４を、赤色の光とは異なる強度の緑色の光により照射（照明）することができる。さらに、時刻ｔ４に、次の同期信号Ｓｙｎｃ、例えば同期信号Ｓ１を受信すると、時刻ｔ１から時刻ｔ４までの間隔Ｃ３１を同期信号判別機能５３が取得する。
【００４５】
図６（ｂ）に、基準時間間隔Ｔｂに基づき、各タイプＳ１〜Ｓ４の同期信号のパルス幅Ｔｓ１〜Ｔｓ４および遅延時間Ｔ０が判断および設定される様子を示している。これらのパラメータもＲＯＭ３２に格納されている。本例では、最も短いパルス幅Ｔｓ１は基準時間間隔Ｔｂの２／２５６であり、パルス幅Ｔｓ２は基準時間間隔Ｔｂの４／２５６、パルス幅Ｔｓ３は基準時間間隔Ｔｂの６／２５６、パルス幅Ｔｓ４は基準時間間隔Ｔｂの８／２５６、遅延時間Ｔ０は基準時間間隔Ｔｂの１０／２５６に設定している。したがって、各タイプの同期信号Ｓ１〜Ｓ４は、パルス幅Ｔｓ１〜Ｔｓ４と、基準時間間隔Ｔｂとの比により判断でき、パルス幅Ｔｓ１〜Ｔｓ４は、基準時間間隔Ｔｂにより変わる。
【００４６】
基準時間間隔Ｔｂは、例えば、カラーホイール（カラーフィルタ）３の回転周期あるいは一連のセグメントが繰り返される周期である。したがって、カラーホイール３が高速で回転し、高周波数で画像を制御しているシステムであれば、基準時間間隔Ｔｂは短くなり、同期間隔の短い、高解像度のパルス幅の同期信号Ｓｙｎｃにより電力供給ユニット２０を制御できる。一方、カラーホイール３が低速で回転しているような、低周波数で画像などを制御しているシステムにおいては、基準時間間隔Ｔｂは長くなり、長い、低解像度のパルス幅の同期信号Ｓｙｎｃにより電力供給ユニット２０を制御できる。
【００４７】
また、パルス幅Ｔｓ１〜Ｔｓ４が基準時間間隔Ｔｂの相対値で決まるので、パルス幅Ｔｓ１〜Ｔｓ４の絶対値を電力供給ユニット２０と、プロジェクタ制御ユニット８１との双方で保持および管理している必要はない。このため、電力供給ユニット２０と、プロジェクタ制御ユニット８１とが同一のクロック信号を使用したり、クロック信号の精度が大きな問題になったりすることはなく、それぞれのユニット２０および８１を独立に開発し、設計できる。さらに、この例であれば、電力供給ユニット２０の制御ユニット３０は、２５６（８ビット）程度の分解能を持ったカウンタまたはタイマーなどを用いて同期信号を判断でき、簡易な機構で精度良く同期信号のタイプを判断できる。
【００４８】
同期信号を判定するステップ６６においては、まず、ステップ６６ａにおいて、基準時間間隔測定機能５７が、最も長いパルス幅Ｔｓ４の同期信号Ｓ４を判断して、同期信号Ｓ４の周期を基準時間間隔Ｔｂとして設定する。初期状態において、基準時間間隔Ｔｂが不明な状態では、パルス幅Ｔｓ４も不明なので、受信した同期信号Ｓｙｎｃから同期信号Ｓ４であることを判断できない。したがって、基準時間間隔測定機能５７は、最長のパルス信号を再受信する、一基準時間間隔（一基準周期）以上にわたり、受信した同期信号Ｓｙｎｃのパルス幅を比較し、最も長いパルス幅の同期信号Ｓｙｎｃを再び受信した時点で、基準時間間隔Ｔｂを取得する。基準時間間隔測定機能５７は常に、最も長い同期信号の間隔を基準時間間隔Ｔｂとして測定する。基準時間間隔Ｔｂが変わったり、さらに、同期信号Ｓ１〜Ｓ４の順番が変わったり、それらの同期信号の間隔Ｃｊｋのいずれかが変わったりした場合は、いったん、基準時間間隔Ｔｂが不明であるとして、基準時間間隔Ｔｂの測定を行なう。
【００４９】
基準時間間隔Ｔｂが判明すると、ステップ６６ｂにおいて、タイプ判定機能５８は、各同期信号Ｓｙｎｃのパルス幅Ｔｓ１〜Ｔｓ４により同期信号Ｓ１〜Ｓ４を判断する。さらに、ステップ６６ｃにおいて、信号間隔測定機能５９は、各同期信号Ｓｙｎｃの間隔Ｃｊｋを測定する。再設定機能５４は、ステップ６７において、基準時間間隔Ｔｂ、同期信号Ｓ１〜Ｓ４の順番、同期信号の間隔Ｃｊｋのいずれかが変わっていれば、再設定が必要であると判断し、ステップ６９においてパルス高さＬ１〜Ｌ４を再設定する。
【００５０】
再設定機能５４は、ステップ６９ａにおいて、基準時間間隔Ｔｂに含まれる同期信号のタイプＳ１〜Ｓ４に対応するパルス高さＬ１〜Ｌ４と、同期信号の間隔Ｃｊｋを取得する。同期信号Ｓ４は必ず含まれているが、他のタイプＳ１〜Ｓ３については、基準時間間隔Ｔｂに含まれても、含まれていなくても良い。再設定機能５４は、さらに、ステップ６９ｂにおいて、上述した式（１）により平均電流Ｉａｄｄを計算する。ステップ６９ｃにおいて、上述した式（２）により、基準時間間隔Ｔｂにおいて電流制御パルス高さＩｔとして出力すべき各パルス高さＬ１〜Ｌ４を再設定する。
【００５１】
図４に示した、制御ＩＣ３１の動作は、ＲＯＭ３２に格納されたプログラム（ファームウェア）３３により実現される。このプログラム３３またはプログラム製品は、ＣＤ−ＲＯＭなどの適当な記録媒体に記録して提供できる。また、インターネットなどのコンピュータネットワークからファームウェアをダウンロードできる環境であれば、コンピュータネットワークを介してファームウェアを提供することも可能である。
【００５２】
図７（ａ）から（ｃ）に、電力供給ユニット２０の制御を、赤色（Ｒ）、黄色（Ｙ）、緑色（Ｇ）、白色（Ｗ）および青色（Ｂ）のセグメントを備えたカラーフィルタ３に適応させた例を示している。このカラーフィルタ３は１２０Ｈｚで回転し、電力供給ユニット２０は、同期信号Ｓｙｎｃによりランプ電流を制御し、カラーフィルタ３の各セグメントに照射される光量を制御する。図７（ａ）に示すモード０においては、基準時間間隔Ｔｂに、同期信号Ｓ４、Ｓ１、Ｓ２およびＳ１が含まれている。電力供給ユニット２０は、これらの同期信号Ｓ４、Ｓ１、Ｓ２およびＳ１に同期して、具体的には、各同期信号のＴ０時間後のセグメントが切り換わるタイミングで、制御ユニット３０からパルス高さＬ４、Ｌ１、Ｌ２、Ｌ１の電流制御パルス高さＩｔを出力する。あるいは、電流制御パルス高さＩｔをパルス高さＬ４、Ｌ１、Ｌ２、Ｌ１に変更する。なお、青色Ｂのセグメントと赤色Ｒのセグメントには同じ供給電流（パルス高さ）Ｌ１に対応する光量の光が照射されるようになっており、赤色Ｒのセグメントに対応する同期信号は受信されない。
【００５３】
図８に、モード０におけるパルス高さＬ４、Ｌ１およびＬ２を再設定した結果を示している。パルス高さＬ４、Ｌ１およびＬ２は、１００％、７０％、１０５％となるように抵抗群３５により初期設定されている。式（１）に従い、式（１１）に示すように、これらのパルス高さＬ４、Ｌ１およびＬ２と、同期信号の間隔Ｃ４１、Ｃ１１、Ｃ２１、Ｃ１２との積から平均電流Ｉａｄｄを計算する。ただし、時間間隔Ｃ１２は、青色Ｂのセグメントと赤色Ｒのセグメントとに照射する時間の和である。また、基準（前回）の平均電流Ｉｔｙｐを１００％としている。
Ｉａｄｄ＝（Ｌ１×（Ｃ１１＋Ｃ１２）＋Ｌ２×Ｃ２１＋Ｌ４×Ｃ４１）／Ｔｂ
＝  ８０．８６                                              ・・（１１）
再設定機能５４は、各パルス高さＬ４、Ｌ１およびＬ２に（１００／８０．８６）を掛けて、電流値（パルス高さ）Ｌ４、Ｌ１およびＬ２を１２３．６８％、８６．５７％、１２９．８６％に再設定し、基準時間間隔Ｔｂあたりの平均電流値が１００％になるようにする。
【００５４】
図７（ａ）に示されているように電力供給ユニット２０がランプ電流Ｉｏを制御している間に、図７（ｂ）に示されているようなモード１の同期信号Ｓｙｎｃの組合せを受信する。電力供給ユニット２０は、同期信号の組合せが変わるので、制御ユニット３０の同期信号判別機能５３および再設定機能５４を用いて、基準時間間隔Ｔｂを再測定し、同期信号のタイプを再判定し、さらに、同期信号の間隔Ｃｊｋを再度計測し、その後、パルス高さＬ１〜Ｌ４を再設定する。パルス高さＬ１〜Ｌ４を再設定するために、多くのケースでは２サイクル（２基準周期）を少なくとも要する。図８に示すように、モード１においては、基準時間間隔Ｔｂに、パルス高さＬ４、Ｌ１、Ｌ２が含まれ、平均電流Ｉａｄｄは、８８．７４％となる。したがって、再設定機能５４は、各パルス高さＬ４、Ｌ１、Ｌ２の初期設定１００％、７０％、１０５％を、１１２．６９％、７８．８９％、１１８．３３％に再設定する。
【００５５】
図７（ｃ）に示したモード２においても同様である。モード２においては、基準時間間隔Ｔｂに、パルス高さＬ４、Ｌ３、Ｌ２が含まれ、平均電流Ｉａｄｄは、１２２．３６になる。したがって、各パルス高さＬ４、Ｌ３、Ｌ２の初期設定１００％、１４５％、１０５％を、８１．７２％、１１８．５％、８５．８１％に再設定する。
【００５６】
図９に、赤色（Ｒ）、緑色（Ｇ）および青色（Ｂ）のセグメントを備えたカラーフィルタ３に適用した例を示している。この例でも、電力供給ユニット２０は、同期信号Ｓｙｎｃによりランプ電流を制御し、カラーフィルタ３の各セグメントに照射される光量を制御する。図９に示すモード０においては、基準時間間隔Ｔｂに、同期信号Ｓ４、Ｓ２、Ｓ３およびＳ２が含まれている。電力供給ユニット２０は、これらの同期信号Ｓ４、Ｓ２、Ｓ３およびＳ２に同期して、具体的には、各同期信号のＴ０時間後のセグメントが切り換わるタイミングで、制御ユニット３０からパルス高さＬ４、Ｌ２、Ｌ３、Ｌ２の電流制御パルス高さＩｔを出力する。基準時間間隔Ｔｂには、ＲＧＢが２シーケンス含まれており、最初のシーケンスの青色Ｂのセグメントに照射される光量と、次のシーケンスの青色Ｂのセグメントに照射される光量を別々に制御している。電力供給ユニット２０は、基準時間間隔Ｔｂに、３シーケンス以上を含めて制御することも可能である。
【００５７】
このように、電力供給ユニット２０は、タイプの異なる同期信号Ｓｙｎｃを受信することにより、同期信号Ｓｙｎｃに同期したタイミングでバリアブルにランプ電流を制御することができる。このため、電力供給ユニット２０を用いることにより、適切な同期信号Ｓｙｎｃを供給するだけで、種々のタイプのカラーフィルタ３に対し、適切なタイミングで所望の光量の光が照射されるように放電ランプ１１を制御することができる。したがって、電力供給ユニット２０は、汎用性が高く、種々のカラーフィルタ（カラーホイール）と簡単に組み合わせることが可能であり、低コストおよび短期間で種々の仕様の照明ユニット２およびプロジェクタ１などの製品を市場に提供できる。
【００５８】
さらに、電力供給ユニット２０は、同期信号Ｓｙｎｃのタイミングとタイプを変えることにより、放電ランプ１１から放出される光量および光量を変えるタイミングを動的に制御することが可能である。このため、照明ユニット２の設定を動的に制御あるいは再構成することにより、プロジェクタ１のスクリーン６に出力される画像の色調を、ユーザの好みや、画像の種類に合わせて動的に変えることが可能となる。したがって、画像生成デバイス４の制御あるいは画像データから、色調の調整を含めた画質調整の負荷を省くまたは低減することが可能となり、画像生成デバイス４によりさらに高品質な画像を出力することが可能となる。
【００５９】
なお、上記では、ＤＣ／ＤＣコンバータを備えた、直流電力を出力する電力供給ユニットに基づき本発明の一実施形態を説明しているが、交流電力を出力する電力供給ユニットにも本発明を適用することが可能である。また、放電ランプに限らず、白色ＬＥＤなどの他のタイプのランプ（光源）の出力を制御する電力供給ユニットに対しても本発明を適用できる。上記の説明では、一例として、電力制御を行うバックコンバータ２８を採用した電力供給ユニットを説明し、さらにバックコンバータ２８はＰＷＭ制御方式を採用している。制御方式は、ＰＷＭ制御に限らず、周波数制御またはその他の制御方式を採用することが可能である。また、上述した同期信号Ｓｙｎｃのタイプは例示であり、同期信号のタイプは３種類以下、あるいは５種類以上であっても良い。さらに、画像出力システムは、リアプロジェクタに限らず、スクリーンまたはスクリーン以外の画像形成メディアに画像を表示するフロントプロジェクタなどの、異なる色の画像を時分割で表示する画像出力システムが含まれる。
【図面の簡単な説明】
【００６０】
【図１】リアプロジェクタの概略構成を示す図。
【図２】電力供給ユニットの概略構成を示す図。
【図３】制御ＩＣにより提供される機能を示すブロック図。
【図４】電力供給ユニットの制御方法を示すフローチャート。
【図５】図５（ａ）はパルス高さＬ１〜Ｌ４を示す抵抗群の設定の一例を示す図、図５（ｂ）は抵抗群の設定とパルス高さとを含むＬＵＴの一例を示す図。
【図６】図６（ａ）は、同期信号のパルス幅などの関係を示す図、図６（ｂ）は、同期信号のパルス幅の設定の一例を示す図。
【図７】図７（ａ）〜（ｃ）は、同期信号Ｓｙｎｃによりランプ電流値を変える様子を示す図。
【図８】パルス高さＬ１〜Ｌ４を再設定することを示す図。
【図９】異なるカラーフィルタに対して、同期信号Ｓｙｎｃによりランプ電流値を変える様子を示す図。
【符号の説明】
【００６１】
１    リアプロジェクタ、  ２    照明ユニット、  ３    カラーフィルタ
４    画像生成ユニット、  ５    光学システム、  ６    スクリーン
２８  バックコンバータ、  １１  放電ランプ
２０  電力供給ユニット、  ３０  制御ユニット、  ３１  制御ＩＣ
３２  ＲＯＭ、  ３３  プログラム
【図１】
2008186699.tif 000003
【図２】
2008186699.tif 000004
【図３】
2008186699.tif 000005
【図４】
2008186699.tif 000006
【図５】
2008186699.tif 000007
【図６】
2008186699.tif 000008
【図７】
2008186699.tif 000009
【図８】
2008186699.tif 000010
【図９】
2008186699.tif 000011